(57)【要約】【課題】パレットが小さくなっても滞留すること無く、またパレットがコンベア間搬送装置上に一時停止してもパレットの搬送面で滑りが発生せず、該搬送面の摩耗を防止できるコンベア間搬送装置を提供する。【解決手段】コンベア間搬送装置１は、ベース部２、回転力を伝達する伝達ローラ３、パレットＰを移動させる複数の従動ローラ４、該従動ローラを回転可能に支持し、ベース部に上下移動可能に支持されたレール部５及びレール部を上方向に押上げる弾性体６とからなる。レール部にパレットが有るときは、レール部が下がって伝達ローラと従動ローラとが接触し、伝達ローラの回転が従動ローラに伝わって、パレットを移動させる。【選択図】      図１
2004359419.tif 000002
【特許請求の範囲】
【請求項１】
各コンベア間でパレットを受け渡すコンベア間搬送装置が、ベースとなるベース部と、
前記パレットを移動するための回転力を伝達する伝達ローラと、
前記伝達ローラの回転で前記パレットを移動させる複数の従動ローラと、
前記従動ローラを回転可能に支持し、前記ベース部に上下移動可能に支持されたレール部と、
前記レール部を上方向に押し上げる弾性体と、
から構成されることを特徴とするコンベア間搬送装置。
【請求項２】
前記伝達ローラの摩擦係数を、パレットの搬送面の摩擦係数より小さくしたことを特徴とする請求項１に記載のコンベア間搬送装置。
【請求項３】
前記伝達ローラは、いずれか一方のコンベアから駆動力を得ることを特徴とする請求項１又は２に記載のコンベア間搬送装置。
【発明の詳細な説明】
【０００１】
【発明の属する技術分野】
本発明は、設備と設備の各コンベアの間でパレットが停滞することを防止するためのコンベア間搬送装置に関する。
【０００２】
【従来の技術】
従来のコンベア間搬送装置１０は、図３に示すようにベース部に回転可能に伝達ローラ１１を設け、コンベアと同じ高さとなるように、ベース部にはレール１２を設け、この伝達ローラ１１をレール１２の面より少し上に出したものである。また伝達ローラ１１の駆動は、一方のコンベアの駆動部からベルト１３等で駆動していた。
【０００３】
しかしながら、この従来のコンベア間搬送装置１０では、パレットＰが小さくなると、例えば、矩形状パレットの一辺の長さが５０ｍｍ以下のような小さなパレットＰだと、コンベア間搬送装置１０でパレットＰが止まってしまい、パレットＰが滞留するという問題があった。
また、前の設備が停止し、パレットＰがコンベア間搬送装置１０上に一時停止したときには、伝達ローラ１１は常に回転しているので、パレットＰの搬送面とで滑りが発生し、パレットＰの搬送面が摩耗し、頻繁に補修する必要があるという問題があった。
【０００４】
【発明が解決しようとする課題】
本発明は、上記問題に鑑みてなされたもので、その目的は、パレットが小さくなってもコンベア間搬送装置上に滞留すること無く、またパレットがコンベア間搬送装置上に一時停止しても、パレットの搬送面で滑りが発生せず、パレットの搬送面の摩耗を防止できるコンベア間搬送装置を提供することである。
【０００５】
【課題を解決するための手段】
本発明は、前記課題を解決するための手段として、特許請求の範囲の各請求項に記載のコンベア間搬送装置を提供する。
請求項１に記載のコンベア間搬送装置は、ベース部上には、パレットを移動するための回転力を伝達する伝達ローラが設けられると共に、複数の従動ローラを回転可能に支持したレール部が、ベース部に対して弾性体によって上下移動可能に支持されるようにしたものであり、これにより、レール部にパレットが有るときは、レール部が下がって伝達ローラと従動ローラとが接触し、伝達ローラの回転が従動ローラを回転させてパレットを搬送できるようになり、レール部にパレットが無いときは、伝達ローラと従動ローラとは離れて従動ローラは回転しない。また、こうすることによって従動ローラの数を増やしてコンベア近くに従動ローラを設けることができることから、小さな寸法のパレットでもコンベア上にパレットが無くてコンベア間でパレットが滞留することなく確実に搬送でき、多くの従動ローラを常時回転させるのではなく、パレットが有るときのみ回転するようにできることから、駆動モータの負荷の増加を小さくすることができる。
【０００６】
請求項２のコンベア間搬送装置は、伝達ローラの摩擦係数をパレットの搬送面の摩擦係数より小さくしたものであり、これにより、コンベア上にパレットが溜まってコンベア間搬送装置上にパレットが滞留した場合に、伝達ローラと従動ローラで滑りが発生し、従動ローラの回転が止まることによりパレットの搬送面と従動ローラでの滑り発生を防止でき、パレットの搬送面の摩耗を防止できるようになる。
請求項３のコンベア間搬送装置は、伝達ローラがいずれか一方のコンベアから駆動力を得るようにしたものである。
【０００７】
【発明の実施の形態】
以下、図面に基づいて本発明の実施の形態のコンベア間搬送装置について説明する。図１は、本発明のコンベア間搬送装置の正面図であり、図２は、その平面図である。本発明のコンベア間搬送装置１は、ベースとなるベース部２と、パレットＰを移動するために回転力を伝達する伝達ローラ３と、パレットＰを移動させる複数の従動ローラ４と、この従動ローラ４を回転可能に支持し、ベース部２に上下移動可能に支持されたレ−ル部５と、このレール部５を上方向に押し上げる弾性体６とより構成されている。
【０００８】
ベース部２は、ローラコンベア、ベルトコンベア等の２つのコンベア間に置かれる。伝達ローラ３は、ベース部２上に直立して配置された２つの支持台２１間に支持されており、いずれか一方のコンベアのコンベアプーリ７からベルト８等により駆動力を得て回転するか、又はモータ等の他の駆動源によって回転するようになっている。
【０００９】
搬送物を載せたパレットＰをコンベア間で橋渡しする複数の（図１，２では２つ）従動ローラ４が、その両端でレール部５によって回転可能に支持されている。従動ローラ４の両端側にそれぞれ配置された２つのレール部５は、コイルバネ等の弾性体６によって、ベース部２上に弾性的に（上下動可能に）支持されている。なお、レール部５の図１において左右方向の振れを防止するため、コイルバネ６の中を通り、レール部５を貫通する案内棒９をベース部２に直立して設けてもよい。また、従動ローラ４は、両コンベアのプーリ間ピッチに応じて、２つ以上設けてもよい。
【００１０】
レール部５は、弾性体６によって上方に付勢されており、従動ローラ４上にパレットＰが載っていない状態において、従動ローラ４と伝達ローラ３とが接触しないように、弾性体６の付勢力は調整されている。また、パレットＰが従動ローラ４に載ると、その重みでレール部５（従動ローラ４）は弾性体６に抗して下がり、従動ローラ４が伝達ローラ３に接触するようになり、従動ローラ４は伝達ローラ３の回転が伝達され、パレットＰを移動させる。
【００１１】
また、伝達ローラ３及び従動ローラ４の表面及びパレットＰの搬送面（下面）の摩擦係数の関係は、後のコンベア上にパレットＰが滞留し、コンベア間搬送装置１上にもパレットＰが乗って移動できなくなった場合のことを想定し、伝達ローラ３の表面の摩擦係数をパレットＰの搬送面の摩擦係数より小さくしておく。この場合、従動ローラ４の表面の摩擦係数は、パレットＰの搬送面の摩擦係数と略同じにしておく。こうすることにより、上述のような異常時には、摩擦係数の小さい伝達ローラ３と従動ローラ４間で滑り、従動ローラ４とパレットＰの搬送面との間では滑らないため、パレットＰの搬送面の摩耗を低減することができる。
【００１２】
上記構成よりなる本発明のコンベア間搬送装置の作動について以下に説明する。まず、前のコンベアから搬送物を載せたパレットＰが、コンベア間搬送装置１に送られてきて、前のコンベアの駆動により、パレットＰは従動ローラ４（レール部５）に押し込まれる。パレットＰが載った従動ローラ４（レール部５）はその重さで弾性体６に抗して下降し、従動ローラ４と伝達ローラ３が接触する。これにより、コンベアプーリ７の駆動力により回転している伝達ロール３の回転が従動ローラ４に伝わり、パレットＰを後のコンベアへと移動させることができる。
【００１３】
本発明では、従動ローラ４は複数設けることができるので、コンベアの曲りに合わせてコンベア近くに従動ローラ４を設けることができ、小さなパレットＰでも確実に前のコンベアから受け取り、後のコンベアへ送ることができる。
また、パレットＰが無い場合は、レール部５は弾性体６によって持ち上げられて、伝達ローラ３と従動ローラ４とは離れて、伝達ローラ３の回転が従動ローラ４に伝わらないので、動力ロスを減らすことができる。
【００１４】
以上説明したように、本発明では、伝達ローラと従動ローラとを設け、弾性体でレール部及び従動ローラを上方向に押し上げ支持したこと、及び伝達ローラの摩擦係数をパレットの搬送面の摩擦係数より小さくしたことにより、パレットが小さくなってもコンベア間搬送装置上に滞留することなく、またパレットがコンベア間搬送装置上に一時停止しても、パレットの搬送面で滑りが発生せず、パレットの搬送面の摩耗を防止することが可能である。
【図面の簡単な説明】
【図１】本発明の実施の形態のコンベア間搬送装置の正面図である。
【図２】図１のコンベア間搬送装置の平面図である。
【図３】従来のコンベア間搬送装置の正面図と平面図である。
【符号の説明】
１…コンベア間搬送装置
２…ベース部
３…伝達ローラ
４…従動ローラ
５…レール部
６…弾性体
７…コンベアプーリ
８…ベルト
９…案内棒
Ｐ…パレット
【図１】
2004359419.tif 000003
【図２】
2004359419.tif 000004
【図３】
2004359419.tif 000005